(57)【要約】【課題】伸縮性を有する非接合領域のシートの積層枚数を減らして、柔軟性の向上、省資源、製造コストの低減等を図ることができるとともに、着用者に対するフィット性や履き心地を向上させることができるパンツ型吸収性物品を提供する。【解決手段】腹側部の両側縁部と背側部の両側縁部とが互いに接合されて一対のサイドシール部が形成されているパンツ型の使い捨ておむつであり、少なくとも腹側部Ａにおける吸収体の側縁の位置とサイドシール部との間に、おむつの外表面を形成する最外層シート１２と、最外層シートの肌面側に配された最内層シート１５とを有し、両シート間が接合されていない非接合領域Ｒ１を有しており、非接合領域Ｒ１において、最外層シート１２は非伸縮性であり、最内層シート１５は、１枚のシートで構成され、おむつ幅方向に伸縮性を有し、且つおむつ長手方向Ｙに、おむつ幅方向の伸長応力が異なる複数の伸縮領域を有している。【選択図】図４
2014100156.tif 000002
【特許請求の範囲】
【請求項１】
腹側部の両側縁部と背側部の両側縁部とが互いに接合されて、一対のサイドシール部、ウエスト開口部及び一対のレッグ開口部が形成されているパンツ型の使い捨ておむつであって、
腹側部及び背側部のうちの少なくとも腹側部における吸収体の側縁の位置とサイドシール部との間に、おむつの外表面を形成する最外層シートと該最外層シートの肌面側に配された最内層シートとを有し、両シート間が接合されていない非接合領域を有しており、
前記非接合領域において、最外層シートは非伸縮性であり、最内層シートは、１枚のシートで構成され、おむつ幅方向に伸縮性を有し、且つおむつ長手方向に、おむつ幅方向の伸長応力が異なる複数の伸縮領域を有している、パンツ型使い捨ておむつ。
【請求項２】
前記非接合領域は、１枚の前記最外層シート及び１枚の前記最内層シートからなる２層構造を有している、請求項１記載のパンツ型使い捨ておむつ。
【請求項３】
最内層シートの前記伸長応力が異なる複数の伸縮領域は、股下部に近い側の伸縮領域からウエスト開口部に近い側の伸縮領域に向かって伸長応力が強くなっている、請求項１又は２記載のパンツ型使い捨ておむつ。
【請求項４】
前記非接合領域における前記最内層シートは、前記伸長応力が異なる複数の伸縮領域として、ウエスト開口部に近い上方伸縮領域（Ｒ２１）と、股下部に近い側の下方伸縮領域（Ｒ２３）と、これら両領域間に位置する中央伸縮領域（Ｒ２２）とを有しており、
前記上方伸縮領域（Ｒ２１）の伸長応力が、前記下方伸縮領域（Ｒ２３）の伸長応力より強く、該下方伸縮領域（Ｒ２３）の伸長応力が、前記中央伸縮領域（Ｒ２２）の伸長応力より強くなっている、請求項１又は２記載のパンツ型使い捨ておむつ。
【請求項５】
前記非接合領域が、前記腹側部における一対のサイドシール部間の略全幅に亘って形成されている、請求項１〜４の何れか１項記載のパンツ型使い捨ておむつ。
【請求項６】
前記非接合領域における前記最内層シートは、互いに交差せずに一方向に延びるように配列した多数の弾性フィラメントが、実質的に非伸長状態で、それらの全長にわたり、伸長可能な不織布に接合されてなる複合体を、一対の歯溝ロール間に導入し部分的な延伸処理を施すことによって、弾性を発現させて得られる伸縮シートである、請求項１〜５の何れか１項記載のパンツ型使い捨ておむつ。
【請求項７】
前記非接合領域における前記最内層シートは、１枚の不織布と、該不織布に、おむつ長手方向に間欠的に伸長状態で固定された複数本の弾性部材とからなり、該弾性部材が、該不織布に形成された襞中に固定されている伸縮シートである、請求項１〜５の何れか１項記載のパンツ型使い捨ておむつ。
【請求項８】
腹側部の両側縁部と背側部の両側縁部とが互いに接合されて、一対のサイドシール部、ウエスト開口部及び一対のレッグ開口部が形成されているパンツ型のおむつカバーであって、
腹側部及び背側部のうちの少なくとも腹側部において、前記一対のサイドシール部間におけるおむつカバーの幅方向両端部に、おむつカバーの外表面を形成する外層シートと該外層シートの肌面側に配された最内層シートとを有し、両シート間が接合されていない非接合領域を有しており、
前記非接合領域において、最外層シートは非伸縮性であり、最内層シートは、１枚のシートで構成され、おむつカバーの幅方向に伸縮性を有し、且つおむつカバーの長手方向に伸長応力が異なる複数の伸縮領域を有している、おむつカバー。
【発明の詳細な説明】
【技術分野】
【０００１】
本発明は、使い捨ておむつに関する。
【背景技術】
【０００２】
従来、パンツ型の使い捨ておむつにおいて、胴回り部に配する胴回り部弾性部材を、おむつの外表面を形成する最外層シート以外の部材に固定し、その胴回り弾性部材を固定した部材と最外層シートとの間に非接着領域を設けることによって、最外層シートの内方にギャザーを形成する一方、胴回り部の外表面にはギャザーが形成されないようにする技術が知られている（特許文献１）。
また、特許文献２には、おむつの外表面を形成する最外層シートと、胴回り部の最も肌側に配された最内層シートとの間を、最内層シートの周縁部を除く大部分において非接着とするとともに、最外層シート及び最内層シートの何れかに伸縮性シートを用いたものが記載されている。
また、特許文献３には、パンツ型の使い捨ておむつの外装体を２枚の伸縮性シートから構成することが記載されている。
また、特許文献４には、最外層シートと、その肌側に配される内層シートとを多数の結合部で互いに結合させるとともに、両シート間に伸長状態で配した糸状弾性部材によって両シートに襞を形成させた使い捨ておむつが記載されている。
【先行技術文献】
【特許文献】
【０００３】
【特許文献１】特開２００５−２８７９３０号公報
【特許文献２】特開２０１０−２２７１５３号公報
【特許文献３】特開２００７−２６０１４８号公報
【特許文献４】特開２００８−２９５９３０号公報
【発明の概要】
【発明が解決しようとする課題】
【０００４】
特許文献１のおむつにおいては、最外層シートより内側に配された２枚のシート間に胴回り弾性部材が固定されており、その固定により硬さが増した２枚のシートの一方が着用者の肌に当たる内表面を形成しているため、肌に当たる感触の点で改善の余地があった。
特許文献２及び３には、最内層シートを伸縮性シートとすることも記載されているが、その伸縮性シートを用いて、よりフィット性を高めることについての示唆はない。
特許文献４のおむつは、最外層シートと内層シートの両シートに形成された襞によりおむつの外表面及び内面が共に柔軟であるが、両シート間は、分散配置された多数の結合部を介して接合されているものであるため、本発明とは思想及び構成が異なる。
【０００５】
本発明の課題は、上記の従来技術が有する解決課題を解決し得る使い捨ておむつ等に関する。
【課題を解決するための手段】
【０００６】
本発明は、腹側部の両側縁部と背側部の両側縁部とが互いに接合されて、一対のサイドシール部、ウエスト開口部及び一対のレッグ開口部が形成されているパンツ型の使い捨ておむつであって、腹側部及び背側部のうちの少なくとも腹側部における吸収体の側縁の位置とサイドシール部との間に、おむつの外表面を形成する最外層シートと該最外層シートの肌面側に配された最内層シートとを有し、両シート間が接合されていない非接合領域を有しており、前記非接合領域において、最外層シートは非伸縮性であり、最内層シートは、１枚のシートで構成され、おむつ幅方向に伸縮性を有し、且つおむつ長手方向に、おむつ幅方向の伸長応力が異なる複数の伸縮領域を有している、パンツ型使い捨ておむつを提供するものである。
【０００７】
本発明は、腹側部の両側縁部と背側部の両側縁部とが互いに接合されて、一対のサイドシール部、ウエスト開口部及び一対のレッグ開口部が形成されているパンツ型のおむつカバーであって、腹側部及び背側部のうちの少なくとも腹側部において、前記一対のサイドシール部間におけるおむつカバーの幅方向両端部に、おむつカバーの外表面を形成する外層シートと該外層シートの肌面側に配された最内層シートとを有し、両シート間が接合されていない非接合領域を有しており、前記非接合領域において、最外層シートは非伸縮性であり、最内層シートは、１枚のシートで構成され、おむつカバーの幅方向に伸縮性を有し、且つおむつカバーの長手方向に伸長応力が異なる複数の伸縮領域を有している、おむつカバーを提供するものである。
【発明の効果】
【０００８】
本発明の使い捨ておむつによれば、伸縮性を有する非接合領域のシートの積層枚数を減らして、柔軟性の向上、省資源、製造コスト等の低減を図ることができるとともに、着用者に対するフィット性や履き心地を向上させることができる。
【０００９】
本発明のおむつカバーによれば、伸縮性を有する非接合領域のシートの積層枚数を減らして、柔軟性の向上、省資源、製造コストの低減等を図ることができるとともに、着用者に対するフィット性や履き心地を向上させることができる。
【図面の簡単な説明】
【００１０】
【図１】図１は、本発明の第１実施形態のパンツ型使い捨ておむつを示す斜視図である。
【図２】図２は、図１に示すおむつの展開且つ伸長状態における内面側を示す展開平面図である。展開且つ伸長状態とは、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図２のＩ−Ｉ線断面図である。
【図４】図４は、図２のＩＩ−ＩＩ線断面図である。
【図５】図５は、第１実施形態における最内層シートの拡大断面図である。
【図６】図６（ａ）及び図６（ｂ）は、図５に示す最内層シートの好ましい製造方法の説明図である。
【図７】図７は、弾性部材のシートへの固定態様の一例を示す断面図である。
【図８】図８は、本発明の第３実施形態のパンツ型使い捨ておむつを示す断面図（図４相当図）である。
【図９】図９は、本発明の第４実施形態のパンツ型使い捨ておむつを示す断面図（図４相当図）である。
【発明を実施するための形態】
【００１１】
以下に、本発明をその好ましい実施形態に基づき図面を参照しながら説明する。
本発明の第１実施形態である使い捨ておむつ１（以下、おむつ１ともいう）は、図１に示すように、予め、ウエスト開口部５及び一対のレッグ開口部６，６が形成されているパンツ型の使い捨ておむつである。
おむつ１は、着用時に着用者の腹側に配される腹側部Ａ、着用時に着用者の背側に配される背側部Ｂ、及び腹側部Ａと背側部Ｂとの間に位置して、着用時に着用者の股間部に配される股下部Ｃを有している。
【００１２】
おむつ１は、パンツ型の外装体１１と、該外装体１１に固定された吸収性本体１０とを備えている。
外装体１１は、腹側部Ａにおける両側縁部と背側部Ｂにおける両側縁部とが互いに接合されており、その接合によって、おむつ１に、一対のサイドシール部Ｓ，Ｓ、ウエスト開口部５及び一対のレッグ開口部６，６が形成されている。外装体１１は、展開且つ伸長状態のおむつ１においては、図２に示すように、長方形の長手方向中央部が括れた形状を有している。
【００１３】
本明細書において、おむつ長手方向とは、腹側部Ａから股下部Ｃを経て背側部Ｂに亘る方向であり、図２中のＹ方向である。また、おむつ幅方向は、前記長手方向と交差する方向であり、図２中のＸ方向である。展開且つ伸長状態のおむつ１において、おむつ幅方向Ｘは、おむつ長手方向Ｙと直交している。吸収性本体の長手方向及び幅方向は、それぞれ、おむつの長手方向及び幅方向と対応する方向である。また、腹側部Ａ及び背側部Ｂのそれぞれにおいて、パンツ型吸収性物品の長手方向は、着用時の上下方向であるため、腹側部Ａ及び背側部Ｂのおむつ長手方向Ｙにおいて、ウエスト開口縁Ｗ側を上側又は上方、股下部Ｃ側を下側又は下方ともいう。ウエスト開口縁Ｗは、ウエスト開口部５の周縁である。
【００１４】
外装体１１は、図２〜図４に示すように、おむつの外表面を形成する最外層シート１２と、最外層シート１２に隣接させて該最外層シート１２の肌面側に配されている中間シート１３と、最外層シート１２又は中間シート１３の肌面側に位置し、吸収性本体１０の長手方向の端部の上下に亘って延在している内面形成シート１４と、シート間又はシートに固定された各部の弾性部材５１，７１，９１等を有している。
最外層シート１２及び中間シート１３は、それぞれ、腹側部Ａ、股下部Ｃ及び背側部Ｂに亘って連続しており、内面形成シート１４は、背側部Ｂ及び腹側部Ａにそれぞれ一枚配されている。また、最外層シート１２は、腹側部Ａ、股下部Ｃ及び背側部Ｂの全域において、おむつ１の外表面を形成しており、更に、最外層シート１２を構成するシート材が、ウエスト開口縁Ｗにおいて肌面側に折り返されて、最外層シート１２の折り返し部１２ａ，１２ｂが形成されている。内面形成シート１４は、最外層シート１２の折り返し部１２ａ，１２ｂに覆われていない部分が、着用者の肌に接する内表面を形成する最内層シート１５となっている。肌面は、各シートの両面のうち、着用時に着用者の肌側に向けられる面である。
【００１５】
以下、おむつ１の外装体１１におけるシートの積層状態について更に説明する。なお、本実施形態のおむつ１は、腹側部Ａと背側部Ｂとで外装体１１が同様の積層構造を有している。そのため、図３及び図４を参照しつつ、主として腹側部Ａの積層構造について説明するが、背側部Ｂにも同様の説明が適用される。
【００１６】
第１実施形態のおむつ１の外装体１１は、図３及び図４に示すように、腹側部Ａの胴回り領域Ａ２に、おむつの外表面を形成する最外層シート１２と、該最外層シート１２の肌面側に配された最内層シート１５とを有し、両シート１２，１５間が接合されていない非接合領域Ｒ１を有している。
本実施形態における非接合領域Ｒ１は、１枚の最外層シート１２及び１枚の最内層シート１５からなる２層構造を有している。中間シート１３のおむつ長手方向Ｙの端部は、吸収性本体１０又は吸収体４の長手方向の端部の位置に略一致している。
【００１７】
本実施形態のおむつ１における非接合領域Ｒ１は、腹側部Ａにおける吸収体４の側縁の位置とサイドシール部Ｓとの間Ｇ，Ｇに形成されているとともに、吸収体４の左右の両側縁間の位置Ｄにも形成されており、非接合領域Ｒ１は、腹側部Ａにおける一対のサイドシール部Ｓ，Ｓ間の略全域に亘って形成されている。吸収体４の側縁の位置とは、腹側部Ａ及び背側部Ｂのそれぞれにおいて、吸収体の幅が最大である部分の側縁の位置（おむつ幅方向Ｘの位置）である。
最外層シート１２及び内面形成シート１４は、非接合領域Ｒ１の上端の位置を超えて、ウエスト開口部の周縁部Ｗ近傍まで延在し、ウエスト開口部の周縁部Ｗ近傍における、最外層シート１２と内面形成シート１４との間に、複数本（図示例は５本）のウエスト弾性部材５１が、腹側部Ａの幅方向の全幅に亘って伸長状態で配されてウエスト弾性領域Ａ１が形成されている。ウエスト弾性領域Ａ１は、その収縮により、ウエスト開口部５の周縁部に、ウエストギャザーを形成し、ウエスト開口部におけるフィット性が向上する。
【００１８】
胴回り領域Ａ２は、ウエスト弾性領域Ａ１よりも股下部Ｃ側に位置する部分である。ウエスト弾性領域Ａ１は、ウエスト開口部５の周縁部に形成された伸縮領域である。ウエスト弾性領域Ａ１と胴回り領域Ａ２との境界が不明な場合は、ウエスト開口縁Ｗから股下部Ｃ方向への距離が３ｃｍの位置よりも股下部Ｃ側の領域を胴回り領域Ａ１とする。
【００１９】
また、最外層シート１２及び内面形成シート１４は、非接合領域Ｒ１の下端の位置を超えて、股下部Ｃ側に延在している。最外層シート１２における非接合領域Ｒ１より下方は、中間シート１３に接着剤を介して固定されている。内面形成シート１４は、図３及び図４に示すように、非接合領域Ｒ１より下方に、吸収性本体１０の長手方向の端部の肌対向面又は中間シート１３の上端１３ｕの近傍に固定された下方固定部１４ｂを有している。
【００２０】
本実施形態における最外層シート１２は、その全域に亘って非伸縮性である。
ここで、シートが非伸縮性とは、下記方法により測定した時、次のいずれかに当てはまることを言う。（１）該シートをおむつ幅方向Ｘに伸長した時に、伸度１００％以下で破断する。（２）該シートをおむつ幅方向Ｘに伸度１００％まで伸長させた後、収縮させたときにおける伸長回復率（１００％伸長時の伸長回復率）が３０％以下である。
＜非伸縮性の測定方法＞
長さ５０ｍｍ、幅２５ｍｍのシートのサンプル片を用意し、テンシロン引っ張り試験機〔（株）オリエンテック社製、「ＲＴＣ-１２１０Ａ」〕を用いて、チャック間隔Ｌ０にサンプル片を固定し、該サンプル片をその長さ方向に、３００ｍｍ/ｍｉｎの速度で１００％伸長時の長さＬｂ（伸度１００％の長さ，Ｌｂ=Ｌ０×２）まで伸長させる。破断しなかった場合は、引張速度と同様の速度で戻し始めて応力が０になった時におけるサンプル片の長さを伸長回復後の長さＬaとする。次式から１００％伸長時の伸長回復率を算出する。
１００％伸長時の伸長回復率（％）=〔（Ｌｂ-Ｌａ）/（Ｌｂ-Ｌ０）〕×１００
サンプル片は、おむつ又はおむつカバーの幅方向Ｘに対応する方向を長さ方向（５０ｍｍ）とする。
【００２１】
前述の通り、最外層シート１２はその全体が非伸縮性であるため、非接合領域Ｒ１における最外層シート１２も当然に非伸縮性を有する。他方、非接合領域Ｒ１における最内層シート１５は、図５に示す複合伸縮シート１５Ａからなる。
複合伸縮シート１５Ａは、１枚のシートで構成され、おむつ幅方向Ｘに伸縮性を有している。ここで、１枚のシートで構成されているとは、厚み方向Ｚに重ねられた複数枚のシートを備えたものではないことを意味する。
図５に示す複合伸縮シート１５Ａについて、より詳細に説明する。
複合伸縮シート１５Ａは、図５に示すように、１枚の不織布６０と、不織布６０上に、おむつ長手方向Ｙに間欠的に固定された複数本の弾性部材７１とを有している。弾性部材７１は、おむつ幅方向Ｘに沿って配されている。弾性部材７１は、伸長状態とされて不織布６０に固定されており、弾性部材７１の収縮力によって不織布も収縮している。不織布６０としては、各種公知の不織布を用いることができるが、例えばポリエチレン繊維、ポリエステル繊維、ポリプロピレン繊維等の疎水性繊維等から構成された、単層又は多層構造のスパンボンド不織布、スパンレース不織布、エアースルー不織布等を好ましく用いることができ、その目付が１０ｇ／ｍ2以上のものが好ましく、そして２０ｇ／ｍ2以下のものが好ましい。スパンボンド不織布としては、ポリプロピレン繊維から構成されたスパンボンド／メルブローン／スパンボンド（ＳＭＳ）不織布等を用いることもできる。
【００２２】
なお、中間シート１３及び複合伸縮シート１５Ａの不織布６０も、弾性部材を固定しない単独状態では、非伸縮性のシートであることが好ましい。
【００２３】
接着剤６３としては、通常、使い捨ておむつ等の吸収性物品に用いられるもの等を、特に制限なく用いることができ、例えば、ホットメルト型の接着剤を用いることができる。
接着剤６３は、接着剤塗工機としてビードガン等を用いて、各弾性部材７１に直接塗工することが好ましい。更に、基底部６５から突出した襞６４の形成のし易さの観点から、各弾性部材７１の不織布６０との対向位置にのみ直接塗工を施すことが好ましい。例えば、図５に示すように、弾性部材７１を断面視して、弾性部材７１の全周における襞６４内において不織布６０と対向する略半周上にのみ接着剤６３が直接塗工されていることが好ましい。また、各襞６４は、各弾性部材７１の収縮により形成されており、図５に示すように、断面視して、各弾性部材７１が各襞６４の高さ方向の先端寄りに配されている。弾性部材７１と、おむつ長手方向Ｙに隣り合う弾性部材どうし７１，７１間の基底部６５に位置する不織布６０とは離間しており、その離間する間隔Ｌ６は、厚み方向Ｚのクッション性を向上させる観点や通気性が向上する観点から０．１ｍｍ以上であることが好ましく、０．５ｍｍ以上であることが更に好ましい。そして、１０ｍｍ以下であることが好ましく、５０ｍｍ以下であることが更に好ましい。また、０．１〜１０ｍｍであることが好ましく、０．５〜５．０ｍｍであることが更に好ましい。
【００２４】
このような複合伸縮シート１５Ａの製造方法の一例について図６（ａ）及び図６（ｂ）を参照しつつ説明する。
先ず、帯状の原反シート６０Ａを、長手方向に搬送し、図６（ａ）に示すように、周方向に延びる溝６６ａを有する溝付ローラ６６と周方向に延びる凸条６７ａを備えた凸条ローラ６７との間に導入して、原反シート６０Ａに溝状の凹部６４’を形成する。次いで、図６（ｂ）に示すように、溝付ローラ６６の溝内又は該ローラから移した他のローラの溝内に、原反シート６０Ａの溝状の凹部６４’を維持しつつ、該凹部６４’内に、弾性部材７１を、伸長させて張力を掛けた状態で入り込ませる。弾性部材７１を凹部６４’内に入り込ませる前に、弾性部材７１又は凹部６４’内に接着剤を塗工しておき、凹部６４’の底部付近に弾性部材７１を結合させる。
このようにして、溝付ローラ６６の周面上に形成された複合伸縮シート１５Ａ’を、溝付ローラ６６の周面から引き剥がし、公知の切断手段により適宜の長さに切断することにより、上記の複合伸縮シート１５Ａが得られる。図６（ａ）及び図６（ｂ）中、ＣＤは、原反シート６０Ａ又は複合伸縮シート１５Ａ’の搬送方向に直交する方向である。
【００２５】
非接合領域Ｒ１における最内層シート１５は、図５に示す複合伸縮シート１５Ａからなり、複数本の弾性部材７１が伸長状態で固定された伸縮部Ｒ２を有することによって、おむつ幅方向Ｘに伸縮性を有している。
【００２６】
本実施形態のおむつ１の非接合領域Ｒ１における最内層シート１５は、図５に示すように、おむつ長手方向Ｙに、おむつ幅方向Ｘの伸長応力が異なる複数の伸縮領域Ｒ２１〜Ｒ２３を有している。
より具体的には、複合伸縮シート１５Ａの複数本の弾性部材７１は、材質や太さが同じものを用いているが、それらを不織布６０の原反シート６０Ａに固定する際の伸長率を異ならせてある。より詳細には、図５中、非接合領域Ｒ１の上端Ｒｕに近い最も上側の弾性部材７１を固定する際の伸長率が最も高く、上端Ｒｕから３番目の下側の弾性部材７１を固定する際の伸長率が次に高く、上端Ｒｕから２番目の中央の弾性部材７１を固定する際の伸長率が最も低くなっている。これによって、最も上側の弾性部材７１が固定されているウエスト開口部に最も近い上方伸縮領域Ｒ２１の伸長応力が最も高く、下側の弾性部材７１が固定されている最も股下部Ｃに近い下方伸縮領域Ｒ２３の伸長応力が次に高く、中央の弾性部材７１が固定されている中央伸縮領域Ｒ２２の伸長応力が最も低くなっている。
即ち、上方伸縮領域Ｒ２１の伸長応力＞下方伸縮領域Ｒ２３の伸長応力＞中央伸縮領域Ｒ２２の伸長応力の関係にある。
【００２７】
おむつ幅方向Ｘの伸長応力は、以下のようにして測定される。
〔伸長応力の測定方法〕
おむつから上方伸縮領域Ｒ２１、中央伸縮領域Ｒ２２、下方伸縮領域Ｒ２３を、腹側部側の部分と背側部側の部分とが連結されたリング状の状態のまま切り取り、これをサンプルとする。このサンプルを、水平な面上に、背側部側の部分の外面が、該水平な面に当接するように載置し、自然に収縮した状態における該サンプルの両端部間（左右のサイドシールＳ同士間）の長さを測定して自然長とする。自然長は、サンプルの上縁部と下縁部との間を２等分する中央線に沿って測定する。そして、そのサンプルをたるませて、テンシロン引っ張り試験機〔（株）オリエンテック社製、「ＲＴＣ-１２１０Ａ」〕のチャック間に固定し、その時の荷重をゼロとする。その後速度３００ｍｍ/ｍｉｎで、おむつ幅方向と同じ方向に荷重が１０Ｎとなるまで伸張させ、次いで、チャックの移動方向を逆にして同じ速度で荷重ゼロとなるまで収縮させる。そして、荷重１０Ｎとなるまで伸張させたときのサンプル長を強伸張時長とし、収縮（戻り）過程における、該強伸張時長と前記自然長との中間の長さ〔（強伸張時長−自然長）／２〕となった時点の応力を、伸長応力とする。
なお、伸長応力は、弾性部材を不織布等に固定する際の伸長率を異ならせる方法に代えて、弾性部材の形成材料や太さ又は断面積等を異ならせて異ならせても良い。
【００２８】
最内層シート１５の伸縮部Ｒ２は、おむつ幅方向Ｘの伸長応力が最大の領域Ｒ２１と、おむつ幅方向Ｘの伸長応力が最小の領域Ｒ２２との当該伸長応力の比が、好ましくは１．５以上、より好ましくは３．０以上である。そして、好ましくは１０以下、より好ましくは７．０以下である。また、好ましくは１．５〜１０であり、より好ましくは３．０〜７．０である。
【００２９】
非接合領域Ｒ１における最内層シート１５には、複数本の弾性部材７１を、おむつ長手方向Ｙに分散させて配置し、伸縮部Ｒ２のおむつ長手方向の長さＬ２（図３，４参照）を広くすることが、回り領域Ａ２が、着用者の胴回りに面で優しくフィットするようにする観点から好ましい。
伸縮部Ｒ２のおむつ長手方向Ｙの長さＬ２は、腹側部Ａの同方向Ｙの長さＬａに対する割合が、好ましくは１０％以上、より好ましくは５０％以上である。上限は１００％である。なお、本実施形態のパンツ型の使い捨ておむつの場合、腹側部Ａの長手方向の長さＬａは、サイドシール部Ｓのおむつ長手方向の長さと同じである。
また、成人用のおむつの場合、伸縮部Ｒ２の前記長さＬ２は、好ましくは２ｃｍ以上、より好ましくは１０ｃｍ以上である。そして、好ましくは２５ｃｍ以下、より好ましくは２０ｃｍ以下である。また、好ましくは２〜２５ｃｍ、より好ましくは１０〜２０ｃｍである。
また、伸縮部Ｒ２のおむつ幅方向の長さは、腹側部Ａのサイドシール部間の長さＷ１に対する割合が、好ましくは３０％以上、より好ましくは４０％以上、更に好ましくは５０％以上である。上限は１００％である。
【００３０】
また、非接合領域Ｒ１は、おむつ長手方向Ｙの長さＬ１が、少なくとも、前述した伸縮部Ｒ２の前記長さＬ２以上であることが好ましい。
非接合領域Ｒ１のおむつ長手方向Ｙの長さＬ１は、腹側部Ａの同方向Ｙの長さＬａに対する割合が、好ましくは１０％以上、より好ましくは５０％以上である。上限は１００％である。
また、成人用のおむつの場合、非接合領域Ｒ１の前記長さＬ１は、好ましくは２ｃｍ以上、より好ましくは１０ｃｍ以上である。そして、好ましくは２５ｃｍ以下、より好ましくは２０ｃｍ以下である。また、好ましくは２〜２５ｃｍ、より好ましくは１０〜２０ｃｍである。
また、非接合領域Ｒ１のおむつ幅方向の長さは、腹側部Ａのサイドシール部間の長さＷ１に対する割合が、好ましくは３０％以上、より好ましくは４０％以上、更に好ましくは５０％以上である。上限は１００％である。
【００３１】
また、伸縮部Ｒ２を備えた非接合領域Ｒ１は、腹側部Ａのおむつ幅方向において、少なくとも、吸収体４の側縁より外方の部位Ｇ，Ｇに形成されていれば良いが、腹側部Ａの非接合領域Ｒ１は、腹側部における一対のサイドシール部間の略全幅に亘っていることが好ましく、背側部Ｂの非接合領域Ｒ１も、同様に背側部における一対のサイドシール部間の略全幅に亘っていることが好ましい。非接合領域Ｒ１が、一対のサイドシール部間の略全幅に亘っていると、肌当接側全面において、柔軟性・フィット性が向上する。
なお、一対のサイドシール部間の略全幅に亘っているとは、非接合領域Ｒ１のおむつ幅方向Ｘの長さが、一対のサイドシール部間の全幅Ｗ１の６５％以上であることを意味する。非接合領域Ｒ１のおむつ幅方向Ｘの長さは、一対のサイドシール部間の全幅Ｗ１の９０％以上であることがより好ましく、１００％であることが更に好ましい。
【００３２】
なお、本実施形態におけるウエスト弾性部材５１は、図７に示すように、弾性部材５１に塗工した接着剤のみを介して、最外層シート１２と内面形成シート１４との間に接合されており、隣接するウエスト弾性部材５１どうし間には、最外層シート１２と内面形成シート１４との間が接合されていない非接合領域が形成されている。また、ウエスト弾性部材５１は、おむつ長手方向Ｙに間隔を開けて複数本配されていることが好ましい。腹側部Ａ及び背側部Ｂに配するウエスト弾性部材５１の本数は、それぞれ、好ましくは３本以上、より好ましくは４本以上である。そして、好ましくは１５本以下、より好ましくは１２本以下である。また、好ましくは３〜１５本、より好ましくは４〜１２本である。
【００３３】
本実施形態のおむつ１の腹側部Ａの股下寄り領域Ａ３には、おむつ幅方向Ｘに延びる下部弾性部材９１が、おむつ長手方向Ｙに間隔を開けて複数本配されている。下部弾性部材９１は、図４に示すように、最外層シート１２と中間シート１３との間に接着剤を介して接合されている。下部弾性部材９１は、吸収性本体１０の両側縁の外方においては伸縮力を発現する一方、吸収性本体１０と重なるＸ方向中央部に、下部弾性部材９１が伸縮力を発現しない非伸縮領域を有していることが好ましい。非伸縮性領域は、下部弾性部材９１が配されていなくても良いし、下部弾性部材９１が伸縮性を発現しない状態とされて配されていても良い。
外装体１１には、更に、レッグ部弾性部材６１が配されている。レッグ部弾性部材６１は、最外層シート１２と中間シート１３との間に、伸長状態で配されており、おむつ１のレッグ開口部６，６に、脚回りに沿って収縮するレッグギャザーを形成する。中間シート１３は、レッグ部弾性部材６１を固定する役割を有する。下部弾性部材９１及びレッグ部弾性部材６１は、それぞれ隣接する２枚のシート間に、一方又は双方のシートに塗工した接着剤を介して接合されており、弾性部材と弾性部材との間の中央位置においてもシートどうしが接合されている。
【００３４】
図２及び図３に示すように、吸収性本体１０は、おむつ長手方向Ｙと同方向に長い長方形状であり、液透過性の表面シート２、液不透過性又は液難透過性（撥水性等）の裏面シート３及び両シート２，３間に介在配置された液保持性の吸収体４を有する。吸収体４は、パルプ繊維等の繊維の集合体からなる吸収性コア又はこれに吸水性ポリマーの粒子を保持させてなる吸収性コア４０と、該吸収性コア４０を被覆するコアラップシート４６からなる。吸収性コア４０は、フラッフパルプの積繊物又はフラッフパルプと吸水性ポリマーの混合積繊物であることが好ましい。また、コアラップシート４６としては、各種公知のものを用いることができ、例えばティッシュペーパのような薄紙や透水性の不織布等が好ましく用いられる。また、吸収性本体１０は、図２に示すように、吸収性本体１０の長手方向の左右両側に、液抵抗性ないし撥水性で且つ通気性の素材から構成された側方カフス８，８を有していてもよい。各側方カフス８の自由端部の近傍には、複数の側方カフス弾性部材８１が伸張状態で配されている。側方カフス８は、おむつ着用時に起立して液の側方への流出を阻止する。
【００３５】
第１実施形態のおむつ１は、従来のパンツ型使い捨ておむつと同様にして使用することができる。
第１実施形態のおむつ１によれば、非接合領域Ｒ１において、最外層シート１２がその内側に配された伸縮性のシートと接合されていないため、最外層シート１２からなるおむつ外表面が柔らかで肌触りが良い。また、非接合領域Ｒ１において、最内層シート１５も、伸縮性を有するものの、一枚のシートから構成されているものであるため、２枚以上のシートに弾性部材を固定したものに比較して合成が低く柔軟である。そのため、おむつの内面側の着用者の肌に対して優しくフィットし、肌触りも良く、優れた履き心地が得られる。
【００３６】
また、最内層シート１５が、おむつ幅方向の伸長応力が異なる複数の伸縮領域を有するため、着用者の腰回り部の周長や凹凸形状に応じて伸縮性を適切に設計することができ、着用者の身体形状に対するフィット性も向上させることができる。
特に、最内層シートの伸長応力が異なる複数の伸縮領域Ｒ２１〜Ｒ２３は、ウエスト開口部５に近い側の伸縮領域Ｒ２１の伸長応力が、股下部Ｃ側に近い側の伸縮領域Ｒ２３の伸長応力よりも強くなっているため、腹部、臀部の凹凸形状に合わせ、適切な応力がかかり、ずれを防止する。そのため、着用者に対するフィット性が一層向上する。
【００３７】
また、非接合領域Ｒ１を２層構造等とすることができ、シートの枚数を減らして省資源や資材管理の負担を減らすことができ、また使い捨ておむつの製造コストも抑制することができる。
【００３８】
また、第１実施形態においては、最内層シート１５の伸縮部Ｒ２が、厚み方向Ｚにクッション性を示すため、よりはき心地が向上する。
【００３９】
上述したおむつ１の各部の形成材料について説明する。
表面シート２、裏面シート３、吸収体４、及び側方カフス８形成用シート等としては、使い捨ておむつ等の吸収性物品に従来用いられている各種のもの等を特に制限なく用いることができる。例えば、表面シート２としては、単層又は多層構造の不織布や、開孔フィルム等を用いることができる。裏面シート３としては、樹脂フィルムや樹脂フィルムと不織布の積層体等を用いることができる。裏面シート３は、透湿性を有するものでも有しないものでも良い。
【００４０】
また、最外層シート１２，中間シート１３、内面形成シート１４としては、使い捨ておむつ等の吸収性物品に従来用いられている各種のシート材を特に制限なく用いることができるが、不織布を用いることが好ましく、不織布としては、エアースルー不織布、ヒートロール不織布、スパンレース不織布、スパンボンド不織布、メルトブローン不織布等の単層の不織布又は同種若しくは異種の不織布が２層以上に積層された積層不織布等が好ましい。また、最外層シート１２，中間シート１３として、不織布とフィルムとを一体化したシート等を用いることもできる。
【００４１】
最外層シート１２，中間シート１３は、それぞれ、スパンボンド不織布、特に目付が２０ｇ／ｍ2以下のスパンボンド不織布であることが好ましい。引っ張り強度に優れるスパンボンド不織布を使用することにより、各シートの目付の低減が可能であり、シートの剛性低下により、フィット性や装着感が向上する。
【００４２】
弾性部材５１，６１，７１，８１，９１の形成素材としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形又は多角形状等の糸状（糸ゴム等）、若しくは紐状（平ゴム等）のもの、又はマルチフィラメントタイプの糸状のもの等を好ましく用いることができる。
【００４３】
次に、本発明の第２〜第４実施形態の使い捨ておむつについて説明する。第２〜第４実施形態のおむつについては、第１実施形態のおむつ１と相違する点について主として説明し、同様の点については説明を省略する。特に説明しない点については、好ましい構成を含めて、第１実施形態における説明が適宜適用される。また、第１実施形態と同様の要素には、同一の符号を付してある。
【００４４】
第２実施形態の使い捨ておむつは、非接合領域Ｒ１に配された弾性部材７１を固定する際の伸長率が、第１実施形態と異なっている。より詳細には、図５中、非接合領域Ｒ１の最も上側の弾性部材７１を固定する際の伸長率が最も高く、上端Ｒｕから２番目の弾性部材７１を固定する際の伸長率が次に高く、３番目の弾性部材７１を固定する際の伸長率が最も低くなっている。これによって、上方伸縮領域Ｒ２１の伸長応力が最も高く、中央の弾性部材７１が固定されている中央伸縮領域Ｒ２２の伸長応力が次に高く、下側の弾性部材７１が固定されている下方伸縮領域Ｒ２３の伸長応力が最も低くなっている。即ち、上方伸縮領域Ｒ２１の伸長応力＞中央伸縮領域Ｒ２２の伸長応力＞下方伸縮領域Ｒ２３の伸長応力の関係にある。
【００４５】
このように、非接合領域Ｒ１における最内層シート１５の伸長応力が異なる複数の伸縮領域Ｒ２１〜Ｒ２３は、股下部に近い側の伸縮領域Ｒ２３からウエスト開口部に近い側の伸縮領域Ｒ２１に向かって伸長応力が強くなっている。
第２実施形態によれば、これにより、腹部の凹凸に対して、より高いフィット性を発揮することができる。
【００４６】
なお、ウエスト開口部５に近い側の伸縮領域の伸長応力が、股下部に近い側の伸縮領域Ｒ２３からウエスト開口部に近い側の伸縮領域Ｒ２１に向かって伸長応力が強くなっている実施形態は、股下部Ｃ側からウエスト開口部５側に向かって、順に伸長応力が強くなっている形態に限られず、例えば、他の例としては、図５に示すように、ウエスト開口部５に近い方から２本の弾性部材を含む伸縮領域Ｒ２４の伸長応力が、それより股下部側の１本の弾性部材を含む伸縮領域Ｒ２５の伸長応力より強い形態や、ウエスト開口部５に近い１本の弾性部材を含む伸縮領域Ｒ２６の伸長応力が、それより股下部側の２本の弾性部材を含む伸縮領域Ｒ２７の伸長応力より強い形態等が挙げられる。
【００４７】
第３実施形態の使い捨ておむつは、図８に示すように、最外層シート１２の折り返し部１２ａ，１２ｂが、吸収性本体１０の端部に重なる位置まで延在している。最外層シート１２の折り返し部１２ａ，１２ｂは、最外層シート１２を構成するシート材がウエスト開口縁Ｗにおいて肌面側に折り返されて形成されている。そして、そのシート材が、第１実施形態の伸縮部Ｒ２と同一構成の伸縮部Ｒ２を形成する不織布６０となっている。
第３実施形態の使い捨ておむつによれば、第１実施形態と同様の効果が奏される。
【００４８】
第４実施形態の使い捨ておむつにおいては、図９に示すように、内面形成シート１４が、伸縮性を有する１枚のシートのみからなり、非接合領域Ｒ１の最内層シート１５が、その１枚のシートのみからなる。
第４実施形態のおむつにおいても、腹側部Ａの胴回り領域Ａ２及び背側部の胴回り領域Ｂ２のそれぞれに、おむつの外表面を形成する最外層シート１２と、該最外層シートの肌面側に配された最内層シート１５との間が接合されていない非接合領域Ｒ１を有している。そして、第４実施形態における非接合領域Ｒ１は、その全体が伸縮部Ｒ２となっている。
【００４９】
第４実施形態の内面形成シート１４として用いる１枚のシートからなる伸縮性シートとしては、特開２００８−２２８７６０号公報の段落〔００２２〕〜〔００２８〕に記載の、（１）弾性繊維の集合体からなる弾性繊維シートの両面に、伸長可能な繊維集合体が一体化されてなるシート、（２）ネット状の弾性シートの少なくとも片面に、伸長可能な繊維集合体が自然状態で一体化されてなるシート、（３）弾性繊維の集合体のみからなる弾性不織布シート、（４）互いに交差せずに一方向に延びるように配列した多数の弾性フィラメントが、実質的に非伸長状態で、それらの全長にわたり、伸長可能な不織布に接合されている伸縮シート等が好ましく用いられる。
第４実施形態の中間シート１３として用いる伸縮性シートは、糸又は細帯状の複数の弾性部材が伸長状態で固定されていなくても伸縮性を有する伸縮性シートが好ましく、自然状態で実質的に皺が寄っていないシートが好ましい。
【００５０】
第４実施形態における内面形成シート１４としては、互いに交差せずに一方向に延びるように配列した多数の弾性フィラメントが、実質的に非伸長状態で、それらの全長にわたり、伸長可能な不織布に接合されている伸縮シートが好ましく用いられる。
斯かる伸縮シートの詳細は、特開２００８−１７９１２８号公報や特開２００９−１５０００３号公報に記載されている。また、これらの伸縮シートは、特開２００８−１７９１２８号公報等に記載の通り、例えば、２枚の不織布間に弾性フィラメントが挟持された複合体を製造し、これを、一方の歯溝ロールの歯が他方の歯溝ロールの歯間に遊挿されるように組み合わされた一対の歯溝ロール間に導入し部分的な延伸処理を施すことによって、弾性を発現させて得られる。この延伸処理における延伸の程度を異ならせることによって、第４実施形態における最内層シート１５には、非接合領域Ｒ１及び伸縮部Ｒ２のおむつ長手方向Ｙにおけるウエスト開口部側に、おむつ幅方向Ｘの伸長応力が強い領域Ｒ２８、股下部側に、おむつ幅方向の伸長応力が前記領域Ｒ２８に比して弱い領域Ｒ２９を形成してある。
第４実施形態によっても、第１実施形態と同様の効果が奏される。また、第４実施形態における最内層シート１５は、一枚の伸縮シートからなるため、表面が平滑で肌当たりがよく、よりはき心地が向上する。
【００５１】
以上、本発明をその好ましい実施形態に基づき説明したが、本発明は上述した実施形態に制限されず適宜変更可能である。
【００５２】
例えば、上記の各実施形態のおむつにおいては、背側部Ｂ及び腹側部Ａの両方に、伸縮部Ｒ２を有する非接合領域Ｒ１が形成されていたが、そのような、伸縮部Ｒ２を有する非接合領域Ｒ１は、腹側部Ａ及び背側部Ｂの何れか一方にのみ形成されていても良い。また、伸縮部Ｒ２を有する非接合領域Ｒ１は、腹側部Ａ及び背側部Ｂのそれぞれにおいて、吸収体４の側縁より外方の領域Ｇのみに形成されていても良い。
【００５３】
また、非接合領域Ｒ１の伸縮部Ｒ２を、おむつの長手方向に２つの領域に区分し、そのうちのウエスト開口部側の領域を、股下部側の領域より伸長応力の強い領域としても良いし、それとは逆に股下部側の領域を、ウエスト開口部側の領域より伸長応力の強い領域としても良い。また、その場合の２領域の境界は、おむつの長手方向Ｙの長さを２等分する中央位置としても良いし、該中央位置より上方又は該中央位置より下方であっても良い。また、非接合領域Ｒ１の伸縮部Ｒ２を、おむつの長手方向に３つの領域に区分し、そのうちのウエスト開口部側の２領域を股下部側の１領域より伸長応力の強い領域としても良いし、それとは逆に股下部側の２領域をウエスト開口部側の１領域より伸長応力の強い領域としても良い。また、非接合領域Ｒ１の伸縮部Ｒ２を、おむつの長手方向に３以上の領域に区分し、股下部側からウエスト開口部側に向かって、この順に伸長応力が強くなるようにしても良い。また、股下部側からウエスト開口部側に向かって、連続して無段階に伸長応力が強くなるようにしても良い。
【００５４】
また、外装体は、最外層シート１２及び中間シート１３が、それぞれ、腹側部Ａ、股下部Ｃ及び背側部Ｂに亘って連続しているものに代えて、腹側部Ａ及び背側部Ｂに、互いに別体の最外層シート１２及び／又は中間シート１３が配されているものであっても良い。
また、使い捨ておむつは、幼児又は成人用のパンツ型使い捨ておむつの他、背側部の左右両側にファスニングテープを備えた展開型の使い捨ておむつであっても良い。
【００５５】
また、本発明のおむつカバーの実施形態としては、本発明の使い捨ておむつの第１〜第４実施形態のそれぞれから吸収性本体を取り除いたものを例示することができる。上述した第１〜第４実施形態のおむつの説明は、おむつ長手方向を、おむつカバーの長手方向、おむつ幅方向を、おむつカバーの幅方向に読み替えれば、おむつカバーの実施形態の説明となる。おむつカバーは、着用者の肌に向けられる内表面側に、尿とりパッド等と呼ばれる吸収体を備えた補助吸収具を載置して、使い捨ておむつと同様に着用される。補助吸収具としては、例えば、前述した使い捨ておむつの吸収性本体と同様の構成を有するものを用いることができる。
【００５６】
上述した一の実施形態における説明省略部分及び一の実施形態のみが有する要件は、それぞれ他の実施形態に適宜適用することができ、また、各実施形態における要件は、適宜、実施形態間で相互に置換可能である。
【００５７】
上述した実施形態に関し、本発明は、さらに以下のパンツ型使い捨ておむつ又はおむつカバーを開示する。
＜１＞  腹側部の両側縁部と背側部の両側縁部とが互いに接合されて、一対のサイドシール部、ウエスト開口部及び一対のレッグ開口部が形成されているパンツ型の使い捨ておむつであって、
腹側部及び背側部のうちの少なくとも腹側部における吸収体の側縁の位置とサイドシール部との間に、おむつの外表面を形成する最外層シートと該最外層シートの肌面側に配された最内層シートとを有し、両シート間が接合されていない非接合領域を有しており、
前記非接合領域において、最外層シートは非伸縮性であり、最内層シートは、１枚のシートで構成され、おむつ幅方向に伸縮性を有し、且つおむつ長手方向に、おむつ幅方向の伸長応力が異なる複数の伸縮領域を有している、パンツ型使い捨ておむつ。
＜２＞  腹側部の両側縁部と背側部の両側縁部とが互いに接合されて、一対のサイドシール部、ウエスト開口部及び一対のレッグ開口部が形成されているパンツ型のおむつカバーであって、
腹側部及び背側部のうちの少なくとも腹側部において、前記一対のサイドシール部間におけるおむつカバーの幅方向両端部に、おむつカバーの外表面を形成する外層シートと、該外層シートの肌面側に配された最内層シートとを有し、両シート間が接合されていない非接合領域を有しており、
前記非接合領域において、最外層シートは非伸縮性であり、最内層シートは、１枚のシートで構成され、おむつカバーの幅方向に伸縮性を有し、且つおむつカバーの長手方向に伸長応力が異なる複数の伸縮領域を有している、おむつカバー。
＜３＞  前記非接合領域は、１枚の前記最外層シート、１枚の前記最内層シートの２層構造である、＜１＞又は＜２＞記載のパンツ型使い捨ておむつ又はおむつカバー。
＜４＞  最内層シートの前記伸長応力が異なる複数の伸縮領域は、股下部に近い側の伸縮領域からウエスト開口部に近い側の伸縮領域に向かって伸長応力が強くなっている、＜１＞〜＜３＞の何れか１に記載のパンツ型使い捨ておむつ又はおむつカバー。
＜５＞  前記非接合領域における前記最内層シートは、前記伸長応力が異なる複数の伸縮領域として、ウエスト開口部に近い上方伸縮領域（Ｒ２１）と、股下部に近い側の下方伸縮領域（Ｒ２３）と、これら両領域間に位置する中央伸縮領域（Ｒ２２）とを有しており、前記上方伸縮領域（Ｒ２１）の伸長応力が、前記下方伸縮領域（Ｒ２３）の伸長応力より強く、該下方伸縮領域（Ｒ２３）の伸長応力が、前記中央伸縮領域（Ｒ２２）の伸長応力より強くなっている、＜１＞〜＜３＞の何れか１に記載のパンツ型使い捨ておむつ又はおむつカバー。
＜６＞  前記最内層シートの伸縮部は、幅方向の伸長応力が最大の領域と、幅方向の伸長応力が最小の領域との当該伸長応力の比が、１．５以上、好ましくは３．０以上である＜１＞〜＜５＞の何れか１に記載のパンツ型使い捨ておむつ又はおむつカバー。
＜７＞  前記最内層シートの伸縮部は、幅方向の伸長応力が最大の領域と、幅方向の伸長応力が最小の領域との当該伸長応力の比が、１０以下、好ましくは７．０以下である＜１＞〜＜６＞の何れか１に記載のパンツ型使い捨ておむつ又はおむつカバー。
＜８＞  前記非接合領域が、前記腹側部における一対のサイドシール部間の略全幅に亘って形成されている、＜１＞〜＜７＞の何れか１に記載のパンツ型使い捨ておむつ又はおむつカバー。
＜９＞  前記非接合領域が、前記腹側部における一対のサイドシール部間の全幅の６５％以上、好ましくは９０％以上、より好ましくは１００％に亘って形成されている、＜１＞〜＜６＞の何れか１に記載のパンツ型使い捨ておむつ又はおむつカバー。
＜１０＞  前記非接合領域における前記最内層シートは、互いに交差せずに一方向に延びるように配列した多数の弾性フィラメントが、実質的に非伸長状態で、それらの全長にわたり、伸長可能な不織布に接合されてなる複合体を、一対の歯溝ロール間に導入し部分的な延伸処理を施すことによって、弾性を発現させて得られる伸縮シートである、＜１＞〜＜８＞の何れか１に記載のパンツ型使い捨ておむつ又はおむつカバー。
＜１１＞  前記伸縮シートは、
２枚の不織布間に弾性フィラメントが挟持された複合体を製造し、これを、一方の歯溝ロールの歯が他方の歯溝ロールの歯間に遊挿されるように組み合わされた一対の歯溝ロール間に導入し部分的な延伸処理を施すことによって、弾性を発現させて得られる＜１０＞記載のパンツ型使い捨ておむつ又はおむつカバー。
＜１２＞  前記延伸処理における延伸の程度を異ならせることによって、前記最内層シートには、非接合領域及び伸縮部の長手方向におけるウエスト開口部側に、幅方向の伸長応力が強い領域、股下部側に、幅方向の伸長応力が前記領域に比して弱い領域を形成した＜１１＞記載のパンツ型使い捨ておむつ又はおむつカバー。
＜１３＞  前記最内層シートは、（１）弾性繊維の集合体からなる弾性繊維シートの両面に、伸長可能な繊維集合体が一体化されてなるシート、（２）ネット状の弾性シートの少なくとも片面に、伸長可能な繊維集合体が自然状態で一体化されてなるシート、（３）弾性繊維の集合体のみからなる弾性不織布シート、から選ばれる＜１＞〜＜８＞の何れか１に記載のパンツ型使い捨ておむつ又はおむつカバー。
＜１４＞  前記非接合領域における前記最内層シートは、１枚の不織布と、該不織布に、おむつ長手方向に間欠的に伸長状態で固定された複数本の弾性部材とからなり、該弾性部材が、該不織布に形成された襞中に固定されている伸縮シートである、＜１＞〜＜８＞の何れか１に記載のパンツ型使い捨ておむつ又はおむつカバー。
＜１５＞  前記最内層シートは、前記最外層シートが折り返されて形成される＜１４＞記載のパンツ型使い捨ておむつ又はおむつカバー。
＜１６＞  前記弾性部材と、長手方向に隣り合う弾性部材どうし間の基底部に位置する不織布との離間する間隔は、０．１ｍｍ以上、好ましくは０．５ｍｍ以上である＜１４＞又は＜１５＞記載のパンツ型使い捨ておむつ又はおむつカバー。
＜１７＞  前記弾性部材と、長手方向に隣り合う弾性部材どうし間の基底部に位置する不織布との離間する間隔は、１０ｍｍ以下、好ましくは５０ｍｍ以下である＜１３＞〜＜１６＞の何れか１に記載のパンツ型使い捨ておむつ又はおむつカバー。
＜１８＞  前記伸縮シートは、
帯状の原反シートを、長手方向に搬送し、周方向に延びる溝を有する溝付ローラと周方向に延びる凸条を備えた凸条ローラとの間に導入して、原反シートに溝状の凹部を形成し、
前記弾性部材又は前記凹部内に接着剤を塗工し、
該溝付ローラの溝内又は該ローラから移した他のローラの溝内に、原反シートの溝状の凹部を維持しつつ、該凹部内に、該弾性部材を、伸長させて張力を掛けた状態で入り込ませることにより得られた伸縮シートである＜１３＞〜＜１７＞の何れか１に記載のパンツ型使い捨ておむつ又はおむつカバー。
＜１９＞  前記最外層シートは、前記非接合領域の上端の位置を超えて、ウエスト開口部の周縁部近傍まで延在し、ウエスト開口部の周縁部近傍における、該最外層シートに、複数本のウエスト弾性部材が配されている＜１＞〜＜１８＞の何れか１に記載のパンツ型使い捨ておむつ又はおむつカバー。
＜２０＞  前記最内層シートの伸縮部の長手方向の長さは、腹側部の同方向の長さに対する割合が、１０％以上、好ましくは５０％以上である＜１＞〜＜１９＞の何れか１に記載のパンツ型使い捨ておむつ又はおむつカバー。
＜２１＞  前記最内層シートの伸縮部の長手方向の長さは、腹側部の同方向の長さに対する割合が、１００％以下である＜１＞〜＜２０＞の何れか１に記載のパンツ型使い捨ておむつ又はおむつカバー。
＜２２＞  前記最内層シートの伸縮部の長手方向の長さは、２ｃｍ以上、好ましくは１０ｃｍ以上である＜１＞〜＜２１＞の何れか１に記載のパンツ型使い捨ておむつ又はおむつカバー。
＜２３＞  前記最内層シートの伸縮部の長手方向の長さは、２５ｃｍ以下、好ましくは２０ｃｍ以下である＜１＞〜＜２２＞の何れか１に記載のパンツ型使い捨ておむつ又はおむつカバー。
＜２４＞  前記最内層シートの伸縮部の幅方向の長さは、腹側部のサイドシール部間の長さに対する割合が、３０％以上、好ましくは４０％以上、より好ましくは５０％以上である＜１＞〜＜２３＞の何れか１に記載のパンツ型使い捨ておむつ又はおむつカバー。
＜２５＞  前記最内層シートの伸縮部の幅方向の長さは、腹側部のサイドシール部間の長さに対する割合が、１００％以下である＜１＞〜＜２４＞の何れか１に記載のパンツ型使い捨ておむつ又はおむつカバー。
＜２６＞  前記非接合領域の長手方向の長さは、腹側部の同方向の長さに対する割合が、１０％以上、好ましくは５０％以上である＜１＞〜＜２５＞の何れか１に記載のパンツ型使い捨ておむつ又はおむつカバー。
＜２７＞  前記非接合領域の長手方向の長さは、腹側部の同方向の長さに対する割合が、１００％以下である＜１＞〜＜２６＞の何れか１に記載のパンツ型使い捨ておむつ又はおむつカバー。
＜２８＞  前記非接合領域の長手方向の長さは、２ｃｍ以上、好ましくは１０ｃｍ以上である＜１＞〜＜２７＞の何れか１に記載のパンツ型使い捨ておむつ又はおむつカバー。
＜２９＞  前記非接合領域の長手方向の長さは、２５ｃｍ以下、好ましくは２０ｃｍ以下である＜１＞〜＜２８＞の何れか１に記載のパンツ型使い捨ておむつ又はおむつカバー。
＜３０＞  前記非接合領域の幅方向の長さは、腹側部のサイドシール部間の長さに対する割合が、３０％以上、好ましくは４０％以上、より好ましくは５０％以上である＜１＞〜＜２９＞の何れか１に記載のパンツ型使い捨ておむつ又はおむつカバー。
＜３１＞  前記非接合領域の幅方向の長さは、腹側部のサイドシール部間の長さに対する割合が、１００％以下である＜１＞〜＜３０＞の何れか１に記載のパンツ型使い捨ておむつ又はおむつカバー。
＜３２＞  吸収体を有する、＜１＞〜＜３１＞の何れか１に記載の使い捨ておむつ。
【符号の説明】
【００５８】
Ａ    腹側部
Ａ１  ウエスト弾性領域
Ａ２  胴回り領域
１０  吸収性本体
２  表面シート
３  裏面シート
４  吸収体
４０  吸収性コア
４６  コアラップシート
５  ウエスト開口部
６  レッグ開口部
１１  外装体
１２  最外層シート
１２ａ，１２ｂ  最外層シートの折り返し部
１３  中間シート
１４  内面形成シート
１５  最内層シート
１５Ａ  複合伸縮シート
Ｒ１  非接合領域
Ｒ２  最内層シートの伸縮部
【図１】
2014100156.tif 000003
【図２】
2014100156.tif 000004
【図３】
2014100156.tif 000005
【図４】
2014100156.tif 000006
【図５】
2014100156.tif 000007
【図６】
2014100156.tif 000008
【図７】
2014100156.tif 000009
【図８】
2014100156.tif 000010
【図９】
2014100156.tif 000011